(57)【要約】【課題】長手方向の端部付近の剛性を確保するとともに、コンクリートが漏れ出すのを防ぐための別部材を取り付けることなく、打設時にデッキプレートの長手方向の端部からコンクリートが漏れ出すのを防ぐことが可能なデッキプレート及びその製造方法を提供する。【解決手段】鋼板から折り曲げられて平面視で長方形状に成形されたコンクリートスラブ用のデッキプレート１において、コンクリートスラブの下面を支持する長方形平板状のスラブ支持部２を備え、このスラブ支持部２に、長手方向に沿って座屈防止のための座屈防止リブ（山形リブ２３）を形成し、この座屈防止リブ（山形リブ２３）の長手方向の端部を端から離間した所定位置において押し潰し、座屈防止リブ（山形リブ２３）の下端とスラブ支持部２の他の部位の下端とが同一平面上に位置するようにする。【選択図】図２
2019116767.tif 000002
【特許請求の範囲】
【請求項１】
鋼板から折り曲げられて平面視で長方形状に成形されたコンクリートスラブ用のデッキプレートであって、
コンクリートスラブの下面を支持する長方形平板状のスラブ支持部が備えられ、
このスラブ支持部には、長手方向に沿って座屈防止のための座屈防止リブが形成され、
この座屈防止リブは、長手方向の端部が端から離間した所定位置において押し潰されて、前記座屈防止リブの下端と前記スラブ支持部の他の部位の下端とが同一平面上に位置すること
を特徴とするデッキプレート。
【請求項２】
前記座屈防止リブは、長手方向の端部がデッキプレートの端部切断時に同時に押し潰されていること
を特徴とする請求項１に記載のデッキプレート。
【請求項３】
前記座屈防止リブは、長手方向の端部が端から２０ｍｍ〜３０ｍｍの位置で押し潰されていること
を特徴とする請求項１又は２に記載のデッキプレート。
【請求項４】
前記スラブ支持部の長手両側の縁に沿って左右一対の係合リブが形成され、
これらの係合リブには、前記スラブ支持部の面外方向に立ち上がる平板状のウェブ部と、このウェブ部の先端から面外の一方向に張り出すフランジ部と、がそれぞれ設けられ、
前記フランジ部の各フランジ部は、各ウェブ部に対して同一方向に張り出しているとともに、面外方向に傾斜して短手方向にずれること防止する折り返し部が形成されていること
を特徴とする請求項１ないし３のいずれかに記載のデッキプレート。
【請求項５】
コンクリートスラブの下面を支持する長方形平板状のスラブ支持部を備え、そのスラブ支持部に長手方向に沿って座屈防止のための座屈防止リブが形成されているデッキプレートを製造するデッキプレートの製造方法であって、
前記スラブ支持部を折曲加工して前記座屈防止リブを形成する座屈防止リブ形成工程と、
この座屈防止リブ形成工程後に、デッキプレートを所定の長さに切断する切断工程と、を有し、
この切断工程では、切断と同時にデッキプレートを切断する切断刃と一緒に可動する治具により前記座屈防止リブの長手方向の端部を押し潰して閉塞すること
を特徴とするデッキプレートの製造方法。
【発明の詳細な説明】
【技術分野】
【０００１】
本発明は、コンクリート打設時には型枠として機能し、コンクリート硬化後はコンクリートと一体になって引張応力を負担する合成スラブ用デッキプレート及びその製造方法に関するものである。
【背景技術】
【０００２】
板厚が薄く板幅が広い部材は、材軸方向である長手方向に沿って圧縮力を受けると、座屈して板が波打ち、デッキプレートの断面性能が低下する。このため、従来、この種の合成スラブ用デッキプレートでは、コンクリートスラブを支持する平板部分が座屈しないように長手方向に沿って座屈防止のための凹凸を設けて座屈防止リブを形成することが一般的である。そのため、打設時にデッキプレートの長手方向の端部からコンクリートが漏れ出すのを防ぐため、小口塞ぎ部材をデッキプレートの端部に嵌め込むことが必要であった。
【０００３】
例えば、特許文献１には、敷設部材２上に敷設されたデッキプレート１の端部開口を覆うように被着させられる平板状の閉塞プレート部５と、この閉塞プレート部５の縁部ないし被着面から延出し、デッキプレート１の縁部近傍に弾性的に当接して閉塞プレート部５を被着状態に保持する係着部６とを備えたデッキプレートの端部開口閉塞具が開示されている（特許文献１の特許請求の範囲の請求項１、明細書の段落［００３８］〜［００４７］、図面の図１、図７等参照）。
【０００４】
しかし、特許文献１に記載の端部開口閉塞具のように、デッキプレートの端部を塞ぐことは手間であり、デッキプレートの設置費用が嵩むうえ、デッキプレートとは別に端部開口閉塞具が必要なことから材料費も嵩んでしまうという問題があった。
【０００５】
また、デッキプレートとしては、上面が概ね平ら（フラット）で解体を要さない打込み型枠として使用されるが、構造部材として引張り応力を負担するものとは算定されないフラットデッキ用デッキプレートも知られている。
【０００６】
この種のフラットデッキ用デッキプレートは、一般に、打設時にデッキプレートの長手方向の端部からコンクリートが漏れ出すのを防ぐためエンドクローズ加工が施される。例えば、特許文献２には、本願出願人が提案した、係合リブに切り欠き不要のエンドクローズ部を備えたデッキプレートが開示されている（特許文献２の特許請求の範囲の請求項１、明細書の段落［００５２］〜［００６７］、図面の図１、図３、図５〜図８等参照）。
【０００７】
特許文献２に記載のデッキプレートは、係合リブのエンドクローズ部を切り欠かなくてもデッキプレート同士の係合が可能となり、エンドクローズ部の事前の切り欠きが不要となるという顕著な作用効果を奏する。しかし、特許文献２に記載のデッキプレートは、フラットデッキ用のデッキプレートであり、合成スラブ用デッキプレートでは使われていないのが現状であった。また、長手方向の端部のせいが全体に小さくなり、断面性能が抵抗するという問題があった。
【０００８】
その他、前述の従来技術以外に、単純に座屈防止リブの端部の凹凸を押し潰すことが考えられる。しかし、端部の凹凸を押し潰すと鋼材の長さが幅方向に広がり、反りが発生してしまうという問題があった。
【先行技術文献】
【特許文献】
【０００９】
【特許文献１】特開２００１−５９３０５号公報
【特許文献２】特開２０１７−１５０１３２号公報
【発明の概要】
【発明が解決しようとする課題】
【００１０】
そこで、本発明は、前述した問題に鑑みて案出されたものであり、その目的とするところは、長手方向の端部付近の剛性を確保するとともに、コンクリートが漏れ出すのを防ぐための別部材を取り付けることなく、打設時にデッキプレートの長手方向の端部からコンクリートが漏れ出すのを防ぐことが可能なデッキプレート及びその製造方法を提供することにある。
【課題を解決するための手段】
【００１１】
第１発明に係るデッキプレートは、鋼板から折り曲げられて平面視で長方形状に成形されたコンクリートスラブ用のデッキプレートであって、コンクリートスラブの下面を支持する長方形平板状のスラブ支持部が備えられ、このスラブ支持部には、長手方向に沿って座屈防止のための座屈防止リブが形成され、この座屈防止リブは、長手方向の端部が端から離間した所定位置において押し潰されて、前記座屈防止リブの下端と前記スラブ支持部の他の部位の下端とが同一平面上に位置することを特徴とする。
【００１２】
第２発明に係るデッキプレートは、第１発明において、前記座屈防止リブは、長手方向の端部がデッキプレートの端部切断時に同時に押し潰されていることを特徴とする。
【００１３】
第３発明に係るデッキプレートは、第１発明又は第２発明において、前記座屈防止リブは、長手方向の端部が端から２０ｍｍ〜３０ｍｍの位置で押し潰されていることを特徴とする。
【００１４】
第４発明に係るデッキプレートは、第１発明ないし第３発明のいずれかの発明において、前記スラブ支持部の長手両側の縁に沿って左右一対の係合リブが形成され、これらの係合リブには、前記スラブ支持部の面外方向に立ち上がる平板状のウェブ部と、このウェブ部の先端から面外の一方向に張り出すフランジ部と、がそれぞれ設けられ、前記フランジ部の各フランジ部は、各ウェブ部に対して同一方向に張り出しているとともに、面外方向に傾斜して短手方向にずれること防止する折り返し部が形成されていることを特徴とする。
【００１５】
第５発明に係るデッキプレートの製造方法は、コンクリートスラブの下面を支持する長方形平板状のスラブ支持部を備え、そのスラブ支持部に長手方向に沿って座屈防止のための座屈防止リブが形成されているデッキプレートを製造するデッキプレートの製造方法であって、前記スラブ支持部をプレス加工して前記座屈防止リブを形成するプレス工程と、このプレス工程後に、デッキプレートを所定の長さに切断する切断工程と、を有し、この切断工程では、切断と同時にデッキプレートを切断する切断刃と一緒に可動する治具により前記座屈防止リブの長手方向の端部を押し潰して閉塞することを特徴とする。
【発明の効果】
【００１６】
第１発明〜第４発明によれば、デッキプレートの長手方向の端部付近の剛性を確保するとともに、コンクリートが漏れ出すのを防ぐための別部材を取り付けることなく、打設時にデッキプレートの長手方向の端部からコンクリートが漏れ出すのを防ぐことができる。
【００１７】
特に、第２発明によれば、座屈防止リブの押し潰しと、デッキプレートの切断が一度のプレス作業で行えることとなり、デッキプレートの製造コストを低減することができる。
【００１８】
特に、第３発明によれば、鋼材の材端部分の長さが幅方向に広がることを防いで座屈防止リブの端部の凹凸を押し潰すことができる。このため、デッキプレートの長手方向の端部に反りが発生することを防止することができる。
【００１９】
特に、第４発明によれば、溶接やカシメなどの固定作業を行わずにデッキプレート同士の連結を容易且つ確実に行うことができ、施工の単純化による施工コストの低減を達成することもできる。
【００２０】
第５発明によれば、長手方向の端部付近の剛性を確保するとともに、打設時にデッキプレートの長手方向の端部からコンクリートが漏れ出すのを防ぐことができるデッキプレートを製造することができる。それに加え、座屈防止リブの押し潰しと、デッキプレートの切断を一度のプレス工程で行えることとなり、製造工程の短時間化を達成してデッキプレートの製造コストを低減することができる。
【図面の簡単な説明】
【００２１】
【図１】本発明の実施形態に係るデッキプレートを示す斜視図である。
【図２】同上のデッキプレートの長手方向の一端部を拡大して示す部分拡大斜視図である。
【図３】同上のデッキプレートをＨ形鋼上に載置した状態を示す斜視図である。
【図４】同上のデッキプレートの平面図である。
【図５】同上のデッキプレートの正面図である。
【図６】図４のＡ−Ａ線断面図である。
【図７】同上のデッキプレートを示す側面図である。
【発明を実施するための形態】
【００２２】
以下、本発明の実施形態に係るデッキプレートについて、図面を参照しながら詳細に説明する。
【００２３】
本発明の実施形態に係るデッキプレート１は、建築物の床スラブや屋根スラブなどの構造物のコンクリートスラブを構築するため解体を要さない打込み型枠として用いられるコンクリートスラブ用のデッキプレートである。
【００２４】
図１は、本発明の実施形態に係るデッキプレート１を示す斜視図であり、図２は、そのデッキプレート１の長手方向の一端部を拡大して示す部分拡大斜視図である。また、図３は、そのデッキプレート１をＨ形鋼上に載置した状態を示す斜視図である。図３に示すように、このデッキプレート１は、Ｈ形鋼（形鋼）Ｈや型枠間に架け渡され、上面にコンクリートが打設されて使用され、硬化後はコンクリートと一体になって引張応力を負担する合成スラブ用デッキプレートである。
【００２５】
このデッキプレート１は、溶融亜鉛めっき鋼板（JIS G3302：SGCC,SGC340,SGH340）などの防錆処理が施された０．８ｍｍ〜１．６ｍｍ程度の鋼板から折り曲げられて、所定の長さの平面視で長方形状に成形されたデッキプレートである。なお、デッキプレート１の長さは、構築するコンクリートスラブの長さ、及び鋼板の厚さや用途によって相違するが、一般的には、０．８ｍ〜３．７ｍ程度の範囲の長さとなっている。
【００２６】
本実施形態に係るデッキプレート１は、図１〜図３に示すように、コンクリートスラブの下面を支持する長方形平板状のスラブ支持部２と、このスラブ支持部２の片面（図上の上面）から垂直（鉛直）に長手方向に沿って突設された補強リブ３と、スラブ支持部２の長手両側の縁に沿って形成された互いに係合し合う形状の左右一対の係合リブ４，５など、から構成されている。
【００２７】
なお、デッキプレート１は、合成スラブ用デッキプレートであるため、図１〜図３に示すように、デッキプレート１のリブ（補強リブ３、係合リブ４，５）が上を向いた状態でスラブ支持部２がＨ形鋼Ｈ上に載置される。
【００２８】
（スラブ支持部）
図１、図２に示すように、このデッキプレート１は、スラブ支持部２の中央に一条だけ補強リブ３が突設されており、スラブ支持部２は、この補強リブ３を境に第１スラブ支持部２１と、第２スラブ支持部２２に分割されている。勿論、補強リブ３は、複数条設けられていてもよく、スラブ支持部２も３以上に分割されていてもよい。
【００２９】
図４は、デッキプレート１の平面図、図５は、デッキプレート１の正面図、図６は、図４のＡ−Ａ線断面図である。図１〜６に示すように、スラブ支持部２は、第１スラブ支持部２１と第２スラブ支持部２２とが、補強リブ３を境に線対称となった左右一対の平板状の部材であり、曲げ剛性を高めるため長手方向に沿って折り曲げられて凹凸が形成されている。
【００３０】
本実施形態に係るスラブ支持部２では、図５等に示すように、平板部分が座屈しないように座屈防止のための座屈防止リブとして、第１スラブ支持部２１と第２スラブ支持部２２のいずれにも断面台形状の凸条である山形リブ２３が二本ずつ形成されている。
【００３１】
このため、デッキプレート１上に打設されたコンクリートの強度が発現するまでの施工時の型枠としてのデッキプレート１の強度計算において、デッキプレート１の長手方向に直交する図４の鉛直断面の全断面積が有効として算定することができる。結果的に、必要強度に比してデッキプレートの厚さを薄くすることができ、輸送費を含めデッキプレート１の設置費用を低減することができる。
【００３２】
勿論、スラブ支持部２に設ける座屈防止リブとして、断面台形状の凸条である山形リブ２３を例示したが、断面三角形状や多角形状の凸条でもよい。即ち、スラブ支持部２に座屈防止リブとして設ける凹凸は、曲げ剛性を高めるため長手方向に沿って折り曲げられる凹凸であれば、他の形状からなる凸条、凹条の山形リブでも構わない。
【００３３】
また、本実施形態に係るスラブ支持部２では、図２、図４等に示すように、山形リブ２３は、長手方向の両端が端から所定位置だけ離間した位置において押し潰された閉塞部２４が形成されている。そして、この閉塞部２４の下端は、スラブ支持部２の他の部位の下端と同一平面上に位置するようになっている。このため、図３に示したように、Ｈ形鋼Ｈに載置するだけで、山形リブ２３が閉塞されることとなる。よって、コンクリートが漏れ出すのを防ぐための別部材を取り付けることなく、打設時にデッキプレート１の長手方向の端部からコンクリートが漏れ出すのを防ぐことができる。
【００３４】
なお、デッキプレート１をＨ形鋼に載置する際には、掛かり代として５０ｍｍ以上ラップさせる必要がある。このため、閉塞部２４が長手方向の端部３０ｍｍを超えた位置に形成されていると、遠すぎてＨ形鋼から外れてしまい上手く閉塞できなくなる。
【００３５】
また、この閉塞部２４は、端から２０ｍｍ以上離間した位置において押し潰されて形成されていることが好ましい。鋼材の展性により山形リブ２３で鋼材の幅の変更が吸収され、幅方向に広がることなく閉塞されるからである。つまり、端から２０ｍｍ以上離間した位置に山形リブ２３を設けることで端部を押し潰す場合と相違して、長手方向の端部に反りが発生することを防止することができる。要するに、閉塞部２４が設けられている位置は、２０ｍｍ以上３０ｍｍ以内であることが好ましい。
【００３６】
（補強リブ）
補強リブ３は、図５、図６に示すように、スラブ支持部２の片面中央（第１スラブ支持部２１と第２スラブ支持部２２の間）に上方に向け垂設され、２枚の平板状の鋼板が重なり合った立上部３０と、この立上部３０の先端に形成された断面三角形状の補強部３１など、から構成されており、スラブ支持部２の長手方向に対する曲げ剛性を向上する機能を有している。
【００３７】
（第１係合リブ）
一対の係合リブのうち図５に示す左側の係合リブである第１係合リブ４は、スラブ支持部２の面外方向である第１スラブ支持部２１の面に対して垂直に立ち上がる平板状の第１ウェブ部４０と、この第１ウェブ部４０の先端から内側（補強リブ３側、以下同じ）上方に向け傾斜して立ち上がる立上傾斜部４１（ウェブ部）と、この立上傾斜部４１の先端から水平に連続する第１フランジ部４２と、この第１フランジ部４２の先端から下方に傾斜する係合傾斜部４３と、この係合傾斜部４３の先端から係合傾斜部４３と逆方向に傾斜する案内傾斜部４４など、から構成されている。
【００３８】
この第１係合リブ４は、隣接する他のデッキプレート１の第２係合リブ５と係合してデッキプレート１同士を連結する機能を有している。
【００３９】
図７は、デッキプレートを示す側面図である。図７等に示すように、この第１ウェブ部４０には、幅８ｍｍで全長が４０ｍｍの平板面から内側へ突出する複数のエンボス４５が所定の間隔をおいて平行に並んで形成されている。このエンボス４５は、水平視で上下に傾斜する長孔状の凸条となっており、デッキプレート１とその内側に打設されたコンクリートとが両者の界面でずれることを防止する機能を有している。このように、エンボス４５の凸条が、上下に傾斜しているため、１種類のエンボスで、上下方向、水平方向のいずれの方向にもずれること防止することができる。
【００４０】
なお、第１ウェブ部４０、立上傾斜部４１、第１フランジ部４２、係合傾斜部４３、案内傾斜部４４の各部の接合部となる角は、全て曲面加工され折り曲げられ、丸面角となっている。
【００４１】
また、本発明に係るデッキプレートでは、ウェブ部の一部である立上傾斜部４１は、傾斜せず第１ウェブ部４０と同一平面上で連続していても構わないし、フランジ部の一部である案内傾斜部４４もなくてもよい。但し、デッキプレート１のように、フランジ部の折り返し部である係合傾斜部４３を設けた方が好ましい。フランジ部の折り返し部である係合傾斜部４３があれば、一方のデッキプレートを持ち上げてデッキプレート同士を互いに係合させることが可能となるからである。
【００４２】
（第２係合リブ）
一対の係合リブのうち図５に示す右側の係合リブである第２係合リブ５は、スラブ支持部２の面外方向である第２スラブ支持部２２の面に対して垂直に立ち上がる平板状の第２ウェブ部５０と、この第２ウェブ部５０の先端から内側上方に向け傾斜して立ち上がる乗り越え傾斜部５１と、この乗り越え傾斜部５１の先端から下方に傾斜する押圧傾斜部５２など、から構成されている。
【００４３】
また、乗り越え傾斜部５１の傾斜高さは、係合傾斜部４３と案内傾斜部４４の傾斜高さより高く、且つ、乗り越え傾斜部５１の傾斜角度は、係合傾斜部４３と案内傾斜部４４の傾斜角度と相違してこれらの傾斜角度より緩くなっている。このため、デッキプレート１を載置した鋼材等の上を水平方向にスライド移動させた際に、乗り越え傾斜部５１が係合傾斜部４３及び案内傾斜部４４を容易に乗り越えて第２係合リブ５と他のデッキプレートの第１係合リブとが係合し易くなっている。
【００４４】
その上、押圧傾斜部５２の傾斜は、係合傾斜部４３と同一方向に略同角度で傾斜している。このため、第２係合リブ５と他のデッキプレートの第１係合リブとが係合した際に、デッキプレート１の自重により係合傾斜部４３及び押圧傾斜部５２の傾斜で第２係合リブ５と他のデッキプレート１の第１係合リブとが押圧される方向に荷重が掛かり、デッキプレート１同士をピッタリ係合させることができる。よって、コンクリート打設時のノロ漏れによりセメント成分が硬化してデッキプレートの下面に剥離困難な汚れが付着してしまうことを防止することができる。
【００４５】
なお、図２等に示すように、第２ウェブ部５０には、エンボス４５と同様に、幅８ｍｍで全長が４０ｍｍの平板面から内側へ突出する複数のエンボス５３が所定の間隔をおいて平行に並んで形成されている。このエンボス５３は、図２に示すように、エンボス４５と逆方向の上下に傾斜する長孔状の凸条となっており、デッキプレート１とその内側に打設されたコンクリートとが両者の界面でずれることを防止する機能を有している。また、エンボス５３とエンボス４５の傾斜が逆方向となっているため、一体となって界面でずれることを防止するコンクリートとの合成効果がさらに高くなっている。
【００４６】
各図に示すように、第１係合リブ４と同様に、第２係合リブ５の第２ウェブ部５０、乗り越え傾斜部５１、押圧傾斜部５２の各部の接合部となる角も、全て曲面加工され折り曲げられ、丸面角となっている。
【００４７】
ここで、本発明に係るデッキプレートでは、フランジ部の一部である乗り越え傾斜部５１は、傾斜しておらず水平となっていてもよい。但し、デッキプレート１のように、フランジ部の折り返し部である押圧傾斜部５２を設けた方が好ましい。短手方向にずれること防止することができるからである。
【００４８】
また、第１係合リブ４の第１ウェブ部４０と、その折り返し部である係合傾斜部４３の傾斜が始まる折り返しの点との水平距離は、第２係合リブ５の第２ウェブ部５０の外面と、その折り返し部である押圧傾斜部５２の傾斜が始まる折り返し点の外面との水平距離と略等しくなっている。このため、係合傾斜部４３や押圧傾斜部５２の傾斜角度の加工精度に多少の誤差があったとしても、第１係合リブ４内に、第２係合リブ５がピッタリと嵌まり込んで係合して第１ウェブ部４０と、第２ウェブ部５０とが面接触で当接するため、コンクリート打設時のノロ漏れを確実に防止することができる。
【００４９】
＜実施形態に係るデッキプレートの製造方法＞
次に、本発明の実施形態に係るデッキプレートの製造方法を説明する。前述のデッキプレート１を製造する場合を例示して説明する。なお、本実施形態に係るデッキプレートの製造方法が、従来のデッキプレートの製造方法と相違する点は、山形リブ２３のエンドクローズ加工をする点だけなので、その点を中心に説明し、他の工程の説明は省略する。
【００５０】
本実施形態に係るデッキプレートの製造方法では、従来の製造方法と同様に、０．８ｍｍ〜１．６ｍｍ程度の薄鋼板からロール成形により折り曲げ加工して、補強リブ３、第１係合リブ４、第２係合リブ５などを形成する折曲工程を行う。
【００５１】
そして、本工程では、同時に係合リブ（第１係合リブ４及び第２係合リブ５）にエンボス４５，エンボス５３、及びスラブ支持部２に座屈防止用リブである山形リブ２３を形成する座屈防止リブ形成工程を行う。勿論、この座屈防止リブ形成工程は、折曲工程の前後に別工程とすることも可能である。
【００５２】
次に、本実施形態に係るデッキプレートの製造方法では、デッキプレートを平面視で長方形状の所定の長さに切断する切断工程を行う。
【００５３】
本工程では、油圧のプレス動作で上下動する切断刃でデッキプレートを切断する。このとき、切断のプレス動作と同時に、油圧で上下動する切断刃が装着されたブロックに取り付けた治具により、山形リブ２３の両端部付近を押圧して前述の閉塞部２４を形成する（図２、図４等参照）。
【００５４】
このため、打設時に長手方向の端部からコンクリートが漏れ出すのを防ぐことができるデッキプレート１を製造することができる。また、従来のフラットデッキの場合のエンドクローズ加工と相違して、エンドクローズ加工のためのプレス動作が必要なくなり、デッキプレートの製造時間を短縮して製造コストを低減することができる。
【００５５】
その上、前述のように、閉塞部２４を形成する位置は、山形リブ２３の両端部の端から水平距離で２０ｍｍ〜３０ｍｍの離れた位置である（図４参照）。このため、プレス加工による材長変化を鋼材の展性により山形リブ２３部分で吸収することができ、幅方向に広がることなく山形リブ２３を閉塞することができる。よって、端部を押し潰す場合と相違して、長手方向の端部に反りが発生することを防止することができる。また、掛かり代が少なすぎて閉塞部２４でコンクリートが漏れることを防げなくなることもない。
【００５６】
閉塞部２４を端から水平距離で２０ｍｍ〜３０ｍｍの離れた位置としたのは、デッキプレート１のＨ形鋼Ｈへの掛かり代が一般的に５０ｍｍ程度必要であり、閉塞可能なそれ以内の距離で、プレス加工で形成される閉塞部２４の斜面がデッキプレート１の端に掛からない距離としたからである。
【００５７】
＜実施形態に係るデッキプレートの作用効果＞
以上説明した本発明の実施形態に係るデッキプレート１及びその製造方法によれば、従来の小口塞ぎ部材のようなコンクリートが漏れ出すのを防ぐための別部材を取り付けることなく、打設時にデッキプレートの長手方向の端部からコンクリートが漏れ出すのを防ぐことができる。このため、デッキプレート１の材料コスト及びデッキプレートの施工コストを低減することができる。
【００５８】
また、デッキプレート１によれば、座屈防止リブである山形リブ２３の押し潰しと、デッキプレート１の切断が一度のプレス作業で行えることとなり、デッキプレート１の製造コストを低減することができる。
【００５９】
それに加え、デッキプレート１の閉塞部２４は、山形リブ２３が端部ではなく、端から離間した位置において押し潰されて形成されているので、プレス加工により鋼材の材端部分の長さが幅方向に広がることを防いで山形リブ２３の端部を押し潰すことができる。このため、デッキプレート１の長手方向の端部に反りが発生することを防止することができる。
【００６０】
また、本発明の実施形態に係るデッキプレート１によれば、デッキプレート１同士の連結がデッキプレート１を持ち上げることなく水平にスライドさせるだけで容易に行える。このため、デッキプレート１同士を溶接やカシメなどの固定する作業が不要となる。
【００６１】
そして、デッキプレート１によれば、係合傾斜部４３の斜面と押圧傾斜部５２の斜面とが、同一方向に略同角度で傾斜するように形成されている。このため、係合させるデッキプレート１同士が互いに押圧される結果となり、コンクリート打設時のノロ漏れによりセメント成分が硬化してデッキプレートの下面に剥離困難な汚れが付着してしまうことを防止することができる。
【００６２】
それに加え、デッキプレート１によれば、スラブ支持部２の平板面に断面台形状の山形リブ２３が二本ずつ形成されているので、スラブ支持部２の曲げ剛性が向上する。よって、デッキプレート上に打設されたコンクリートの強度が発現するまでの施工時の型枠としてのデッキプレートの強度計算において、デッキプレートの長手方向に直交する鉛直断面の全断面積が有効として算定することができる。このため、結果的に、必要強度に比してデッキプレートの厚さを薄くすることができ、輸送費を含めデッキプレートの設置費用を低減することができる。
【００６３】
さらに、デッキプレート１には、エンボス４５とエンボス５３が形成されているので、デッキプレート１とその内側に打設されたコンクリートとが両者の界面でずれることを防止することができる。
【００６４】
以上、本発明の実施形態に係るデッキプレート及びその製造方法について詳細に説明したが、前述した又は図示した実施形態は、いずれも本発明を実施するにあたって具体化した一実施形態を示したものに過ぎない。よって、これらによって本発明の技術的範囲が限定的に解釈されてはならないものである。
【００６５】
特に、デッキプレートをＨ形鋼などの形鋼間に架け渡す場合を例示して説明したが、デッキプレートを基礎等の木製型枠などの型枠間に架け渡してもよいことは云うまでもない。また、山形リブの両端部が閉塞されてものを例示したが、外壁に面するスラブなど、一端が閉塞されていればよく、必ずしも両端部が閉塞されている必要はない。
【符号の説明】
【００６６】
１：デッキプレート
２：スラブ支持部
２１：第１スラブ支持部
２２：第２スラブ支持部
２３：山形リブ（座屈防止リブ）
２４：閉塞部
３：補強リブ
３０：立上部
３１：補強部
４：第１係合リブ
４０：第１ウェブ部
４１：立上傾斜部
４２：第１フランジ部
４３：係合傾斜部（折り返し部）
４４：案内傾斜部
４５：エンボス
５：第２係合リブ
５０：第２ウェブ部
５１：乗り超え傾斜部
５２：押圧傾斜部（折り返し部）
５３：エンボス
Ｈ：Ｈ形鋼（形鋼）
【図１】
2019116767.tif 000003
【図２】
2019116767.tif 000004
【図３】
2019116767.tif 000005
【図４】
2019116767.tif 000006
【図５】
2019116767.tif 000007
【図６】
2019116767.tif 000008
【図７】
2019116767.tif 000009